(57)【要約】      （修正有）【課題】装飾性やファッション性の向上を図りつつ、利便性の向上を図ったカップ付き衣類を提供する。【解決手段】カップ付き衣類１は、乳房を覆う一対のカップ部２と、一対のカップ部２の各々に連続して設けられて背中側に巻かれる一対のバック部４と、を有している。一対のカップ部２間には、装飾品１０を係脱自在に係止する装飾品係止部が設けられている。よって、装飾品１０の装飾品係止部への係止を解除して、装飾品１０をカップ付き衣類１から取り外し、装飾品１０を装飾品係止部に係止して、装飾品１０をカップ付き衣類１に取り付けることができるから、装飾品１０のカップ付き衣類１への取り付け、取り外しの手間を軽減することができる。【選択図】図１
0003183823.tif 000002
【実用新案登録請求の範囲】
【請求項１】
乳房を覆う一対のカップ部と、該一対のカップ部の各々に連続して設けられて背中側に巻かれる一対のバック部と、を有するカップ付き衣類であって、
前記一対のカップ部間には、装飾品を係脱自在に係止する装飾品係止部が設けられていることを特徴とするカップ付き衣類。
【請求項２】
前記装飾品係止部に係止された装飾品を有し、
前記装飾品係止部には、リングが取り付けられ、
前記装飾品には、前記リングに係脱自在に係止する係止具が取り付けられていることを特徴とする請求項１記載のカップ付き衣類。
【請求項３】
前記装飾品は、宝石を備えて構成されていることを特徴とする請求項２記載のカップ付き衣類。
【請求項４】
前記宝石は、パワーストーンであることを特徴とする請求項３記載のカップ付き衣類。
【考案の詳細な説明】
【技術分野】
【０００１】
本考案は、乳房を覆うカップ付き衣類に関する。
【背景技術】
【０００２】
従来、乳房を支えて、乳房の形状を整形するとともに、乳房の形が崩れることを防止するためのブラジャーが開示されている。
【０００３】
ところで、人には縁起物としての宝石やパワーストーンを常に身に付けていたいという要望がある。また、特に女性には、その日の服装に合ったアクセサリーを装着しておしゃれを楽しみたいという願望があるが、縁起物としての宝石やパワーストーンをペンダントトップとして用いた場合には、縁起物としての宝石やパワーストーンがアクセサリーの邪魔をして、装着者がおしゃれを楽しめない問題があった。
【０００４】
このような問題を解決する技術が特許文献１に開示されている。特許文献１に記載されたブラジャーは、図３に示すように、乳房を覆うカップ材を有する一対のカップ部１０２と、一対のカップ部１０２の下端部を連結するカップ連結部１０３と、このカップ連結部１０３に連続して設けられて背中側に巻かれる一対のバック部（図示しない）と、カップ部１０２とバック部とに連続した紐状に形成されて肩に掛け渡される一対の肩ストラップ１０４と、を備えている。このブラジャー１０１には、宝石やパワーストーンなどから構成されたペンダントトップ１０５の両端部に取り付けられた一対のチェーン１０６、１０６が、肩ストラップ１０４に係脱自在に取り付けられる。具体的には、一対のチェーン１０６、１０６には、その両端の各々に留め具１０７が取り付けられ、各留め具１０７が肩ストラップ１０４の各々に遊嵌されたリング１０８に係脱可能に係止することにより、チェーン１０６が各肩ストラップ１０４（ブラジャー１０１）に取り付けられている。
【０００５】
このようなブラジャー１０１は、ペンダントトップ１０５を構成する宝石やパワーストーンが、カップ連結部１０３の表面に設けられるから、衣類によって隠されることとなり、縁起物としての宝石やパワーストーンがアクセサリー（図示しない）の邪魔をすることがなくなって、縁起物としての宝石やパワーストーンを常に身に付けることと、その日の服装に合ったアクセサリーを装着しておしゃれを楽しむことの両立を可能にしていた。
【先行技術文献】
【特許文献】
【０００６】
【特許文献１】特開２０１１−２４９８２号公報
【考案の概要】
【考案が解決しようとする課題】
【０００７】
しかしながら、上述した従来のブラジャー１０１では、宝石やパワーストーンが一対のチェーン１０６、１０６を介して取り付けられていたから、チェーン１０６同士が絡まったり、チェーン１０６が衣類に引っ掛ってしまうという問題があった。
【０００８】
そこで、チェーン１０６を用いずに、宝石やパワーストーンの取付部を、ブラジャー１０１に直接縫い付けることで固定することを試みていたが、ブラジャー１０１を洗濯する際には、宝石やパワーストーンのブラジャー１０１への縫い付けを切断して、宝石やパワーストーンをブラジャー１０１から取り外し、洗濯後には、洗濯されたブラジャー１０１に宝石やパワーストーンを再び縫い付けて固定しなければならず、手間がかかって面倒だった。
【０００９】
本考案は、装飾性やファッション性の向上を図りつつ、利便性の向上を図ったカップ付き衣類を提供することを目的とする。
【課題を解決するための手段】
【００１０】
請求項１に記載の本考案は、乳房を覆う一対のカップ部と、該一対のカップ部の各々に連続して設けられて背中側に巻かれる一対のバック部と、を有するカップ付き衣類であって、前記一対のカップ部間には、装飾品を係脱自在に係止する装飾品係止部が設けられていることを特徴とするカップ付き衣類である。
【００１１】
請求項２に記載の発本明は、請求項１記載の本考案において、前記装飾品係止部に係止された装飾品を有し、前記装飾品係止部には、リングが取り付けられ、前記装飾品には、前記リングに係脱自在に係止する係止具が取り付けられていることを特徴とする。
【００１２】
請求項３に記載の本考案は、請求項２記載の本考案において、前記装飾品は、宝石を備えて構成されていることを特徴とする。
【００１３】
請求項４に記載の本考案は、請求項３記載の本考案において、前記宝石は、パワーストーンであることを特徴とする。
【考案の効果】
【００１４】
請求項１に記載の本考案によれば、一対のカップ部間には、装飾品を係脱自在に係止する装飾品係止部が設けられているから、例えば、カップ付き衣類を洗濯する際に、装飾品の装飾品係止部への係止を解除して、カップ付き衣類から取り外し、洗濯した後に、装飾品を装飾品係止部に係止して、装飾品をカップ付き衣類に取り付けることができるから、装飾品のカップ付き衣類への取り付け、取り外しの手間を軽減することができる。また、装飾品をカップ付き衣類に取り付けることで、カップ付き衣類の装飾性やファッション性の向上を図ることができる。さらに、装飾品を別の装飾品に付け替えることができるから、より一層、装飾性、ファッション性の向上を図ることができる。従って、装飾性やファッション性の向上を図りつつ、利便性の向上を図ったカップ付き衣類を提供することができる。
【００１５】
請求項２に記載の本考案によれば、装飾品係止部には、リングが取り付けられ、装飾品には、リングに係脱自在に係止する係止具が取り付けられる。これにより、装飾品を装飾品係止部に係脱自在に係止する構成を実現できる。
【００１６】
請求項３に記載の本考案によれば、装飾品は、宝石を備えて構成されているから、利便性の向上を図りつつ、装飾性、ファッション性の向上を図ることができる。
【００１７】
請求項４に記載の本考案によれば、宝石は、パワーストーンであるから、カップ付き衣類を下着として用いた場合において、人目を気にすることなくパワーストーンを身につけることができる。
【図面の簡単な説明】
【００１８】
【図１】本考案の一実施の形態にかかるブラジャーを示す斜視図である。
【図２】図１に示されたブラジャーの要部を拡大して示す図である。
【図３】従来のブラジャーを示す斜視図である。
【考案を実施するための形態】
【００１９】
以下、本考案のカップ付き衣類の例示的一実施形態に係るブラジャーを、図１、図２を参照して説明する。ブラジャーは、図１に示すように、互いに間隔をあけて設けられて乳房を覆う一対のカップ部２と、一対のカップ部２を連結する連結部３と、連結部３の両端部に連続されて背中側に巻かれる一対のバック部４と、各バック部４の連結部３から離れた端部に設けられて、一対のバック部４の端部同士を後ろ中心位置で係脱自在に係止する連結係止具５と、各カップ部２と各バック部４とに掛け渡される一対の肩ストラップ６と、を備えて構成されている。このブラジャー１には、連結部３の一対のカップ部２間に、アクセサリー１０（装飾品）が係脱自在に係止されるアクセサリー係止部３Ａが設けられている。
【００２０】
ここで、一対のカップ部２が並ぶ方向を矢印Ｙ方向で示し、カップ部２が突出する方向を矢印Ｚ方向で示し、矢印Ｙと矢印Ｚとの両方向に直交する方向を矢印Ｘ方向で示す。また、本明細書では、矢印Ｙ方向を左右方向と記し、矢印Ｘ方向を上下方向と記し、矢印Ｚ方向を前後方向と記す場合がある。
【００２１】
一対のカップ部２の各々は、中心に向かうに従って前方への出寸法が徐々に大きくなる略半球状に形成され、乳房を支持する下カップ２Ａと、下カップ２Ａの上縁に連続した上カップ２Ｂと、から構成されている。この下カップ２Ａと上カップ２Ｂとの境界部は左右方向（矢印Ｙ方向）に沿い、この境界部の左右方向の中心部にカップ部２の頂部が形成され、この頂部にバストトップが位置するように設けられている。また、下カップ２Ａと連結部３との境界部には円弧状のカップ支持部２２が固定されている。このカップ支持部２２は、金属製のワイヤから構成され、バージスライン（乳房下の輪郭線）に沿うように設けられている。また、一対のカップ部２は、その前面（ブラジャー１装着時に肌から離れた側の面）全体がレース（図示しない）により覆われている。
【００２２】
連結部３は、その上端がカップ部２の頂部と左右方向に沿う位置に設けられ、下端がカップ支持部２２よりもさらに下方に位置するように設けられ、左右方向（矢印Ｙ方向）の両端が、一対のカップ部２の左右方向の両端よりもさらに外側に位置するように設けられている。この連結部３の左右方向の両端は、ブラジャー１装着時に、装着者の脇下近傍に位置するように設けられている。
【００２３】
この連結部３には、図２に示すように、アクセサリー１０（装飾品）を係脱自在に係止するアクセサリー係止部３Ａ（装飾品係止部）が設けられている。アクセサリー係止部３Ａは、連結部３の一部であり、連結部３の一対のカップ部２間の上端部、即ちカップ部２の頂部の左右方向に並ぶ位置に設けられている。このアクセサリー係止部３Ａには、金属製のリング３０が縫い付けられて固定され、アクセサリー１０は、このリング３０に係脱自在に係止する連結具７（係止具）を介して取り付けられている。
【００２４】
このように、一対のカップ部２間には、アクセサリー１０（装飾品）を係脱自在に係止するアクセサリー係止部３Ａ（装飾品係止部）が設けられているから、例えば、ブラジャー１を洗濯する際には、アクセサリー１０のアクセサリー係止部３Ａへの係止を解除することで、アクセサリー１０をブラジャー１から取り外すことができる。また、洗濯した後に、アクセサリー１０をアクセサリー係止部３Ａに係止することで、アクセサリー１０をブラジャー１に取り付けることができる。
【００２５】
アクセサリー１０は、図２に示すように、球状のパワーストーン１０Ａと、連結具７にパワーストーン１０Ａを取り付けるための取付部１０Ｂと、を備えて構成されている。取付部１０Ｂは、Ｔ字状のピンをパワーストーン１０Ａに貫通させ、この状態でピンの先端を曲げて輪が形成されることで構成されている。この輪の内側に連結具７が挿通されることで、取付部１０Ｂは連結具７に係止されている。
【００２６】
連結具７は、図２に示すように、円筒部材がＣ字状に曲げられて形成された本体部７１と、本体部７１の内部に設けられて本体部７１の両端を開閉する開閉部材７２と、を備えている。開閉部材７２は、本体部７１の内部に挿入された状態で本体部７１の周方向に移動自在に設けられて、本体部７１の両端を開閉する開閉部７２Ａと、この開閉部７２Ａを閉じる方向に付勢するばね（図示しない）と、ばねの付勢力に抗して開閉部７２Ａを開けるための操作部７２Ｂと、を備えている。この操作部７２Ｂは、本体部７１の壁７１Ａを貫通して本体部７１の外面から突出して設けられている。連結具７としてカニカンや引き輪を用いてもよい。
【００２７】
連結係止具５は、図１に示すように、一対のバック部４のうち一方のバック部４の端部に設けられた爪部（図示しない）と、一対のバック部４のうち他方のバック部４の端部に設けられた被固定部（図示しない）に固定されて爪部に引っ掛かる複数の爪受け部（図示しない）と、を備えている。複数の爪受け部は、ブラジャー１の周方向の寸法を調節するために、左右方向（矢印Ｙ方向）に間隔をあけて設けられている。
【００２８】
一対の肩ストラップ６には、長さ調整具６１が取り付けられ、肩ストラップ６の長さが調整可能な状態で、肩ストラップ６の一端がカップ部２に固定され、他端がバック部４の上縁に固定されている。
【００２９】
なお、上述した実施形態では、装飾品としてのアクセサリー１０は、球状のパワーストーン１０Ａを備えていたが、アクセサリー１０は、パワーストーン１０Ａ以外の鉱物を備えていてもよく、金や銀やプラチナから構成された金属加工品を備えていてもよい。また、上述した実施形態では、ブラジャー１は一対の肩ストラップ６を備えていたが、一対の肩ストラップ６は省略してもよい。所謂、ストラップレスにすることもできる。また、上述した実施形態では、連結係止部４は後ろ中心位置に設けられていたが、連結係止部４を一対のカップ部２間、即ち前中心位置に設けてもよい。この場合には、連結係止部４の肌から離れた側の表面上に装飾品係止部を設けてもよい。
【００３０】
また、本発明の実施形態として、ブラジャー１をあげて説明したが、本発明のカップ付き衣類は、これに限定されるものではなく、例えば、ボディスーツ、ブラスリップ、セパレートタイプの水着のトップ部、レオタード、その他各種のカップ付き衣類に適用できる。
【００３１】
その他、当業者は、従来公知の知見に従い、本考案のカップ部付き衣類としてのブラジャー１を適宜改変することができる。かかる改変によってもなお本考案のブラジャー１の構成を具備する限り、勿論、本考案の範疇に含まれるものである。
【符号の説明】
【００３２】
１        ブラジャー（カップ付き衣類）
２        一対のカップ部
３Ａ      アクセサリー係止部（装飾品係止部）
４        一対のバック部
１０      アクセサリー（装飾品）
【図１】
0003183823.tif 000003
【図２】
0003183823.tif 000004
【図３】
0003183823.tif 000005